(57)【要約】【課題】持ち手孔が形成されているとともに，その周囲の箇所の手や収納物への攻撃性を低減した容器を提供すること。【解決手段】底面部２と，側面部４とを有し，側面部４の上端が開口部Ｃをなしている容器１０を対象とする。側面部４に持ち手孔７が形成されるとともに，側面部４のうち持ち手孔７の上方の部分が，少なくとも持ち手孔７側および上端５にて側面部４の厚さ方向に幅のあるグリップ部８を構成している。グリップ部８の下方内面側，上方内面側，下方外面側，および上方外面側の４つの肩部（１１，１２，１３，１４）のうち少なくとも２つの肩部が，側面部４を縦に切断する断面図内で見て凸状の曲面をなしている。【選択図】図２
2019073293.tif 000002
【特許請求の範囲】
【請求項１】
底面部と，前記底面部の縁辺から上方側に設けられた側面部とを有し，前記側面部の上端が開口部をなしている容器であって，
前記側面部に持ち手孔が形成されるとともに，
前記側面部のうち前記持ち手孔の上方の部分が，少なくとも前記持ち手孔側および上端側にて前記側面部の厚さ方向に幅のあるグリップ部を構成しており，
前記グリップ部の下方内面側，上方内面側，下方外面側，および上方外面側の４つの肩部のうち，
下方内面側および下方外面側，または
下方内面側および上方内面側，または
下方外面側および上方外面側，
の少なくとも２つの肩部が，前記側面部を縦に切断する断面図内で見て凸状の曲面をなしていることを特徴とする容器。
【請求項２】
請求項１に記載の容器であって，
前記グリップ部の前記４つの肩部がいずれも，前記側面部を縦に切断する断面図内で見て凸状の曲面をなしていることを特徴とする容器。
【請求項３】
請求項１または請求項２に記載の容器であって，
前記グリップ部は，前記側面部の上端側の上面部と，前記持ち手孔側の下面部と，前記側面部の内面側にて前記上面部と前記下面部とを連絡する内面部とを有しており，
前記グリップ部には，外面側に開口する空洞部が形成されており，
前記空洞部には，
前記上面部と前記下面部とを連絡する複数の縦リブと，
前記縦リブ同士を連絡する横リブとが設けられており，
前記縦リブの外縁は，外面側に向けて凸状の曲面をなしていることを特徴とする容器。
【請求項４】
請求項１から請求項３までのいずれか１つに記載の容器であって，
前記側面部のうち前記持ち手孔の下部に臨む縁辺に，外向きに張り出す張り出し部が形成されており，
前記張り出し部の上面と前記側面部の内面とがなす肩部が，前記側面部を縦に切断する断面図内で見て凸状の曲面をなしていることを特徴とする容器。
【請求項５】
請求項４に記載の容器であって，
前記張り出し部の外端に，下向きに延びる折り返し部が形成されており，
前記張り出し部の上面と前記折り返し部の外面とがなす肩部が，前記側面部を縦に切断する断面図内で見て凸状の曲面をなしていることを特徴とする容器。
【請求項６】
請求項１から請求項５までのいずれか１つに記載の容器であって，
前記凸状の曲面がいずれも，曲率半径が５ｍｍ以上３０ｍｍ以下の範囲内である曲面であることを特徴とする容器。
【発明の詳細な説明】
【技術分野】
【０００１】
本発明は，収納物を収納する容器に関する。さらに詳細には，容器を手で持ち上げるための持ち手孔が形成されている容器に関するものである。
【背景技術】
【０００２】
従来のこの種の容器として，特許文献１に記載されているものを挙げることができる。特許文献１の「運搬用容器」は，その図１に示されるように，「側壁部」（３ｃ，３ｄ）の一部に持ち手孔が形成されているものである。すなわち同図中に符番されてはいないが，横長長方形の窓状にくり抜かれている孔が持ち手孔である。この孔を利用して，特許文献１の「運搬用容器」を手で持ち上げることができる。
【先行技術文献】
【特許文献】
【０００３】
【特許文献１】特開平10-316139号公報
【発明の概要】
【発明が解決しようとする課題】
【０００４】
しかしながら前記した従来の技術には，次のような問題点があった。すなわち，特許文献１の「運搬用容器」では，その図６に示されているように，持ち手孔の周囲の断面形状が角張っている。このため「運搬用容器」をその持ち手孔を利用して手で持ち上げると，角張り形状箇所が手に食い込んで苦痛を感じることがある。また，「運搬用容器」の収納物がその角張り形状箇所との衝突でダメージを受ける場合がある。
【０００５】
本発明は，前記した従来の技術が有する問題点を解決するためになされたものである。すなわちその課題とするところは，持ち手孔が形成されているとともに，その周囲の箇所の手や収納物への攻撃性を低減した容器を提供することにある。
【課題を解決するための手段】
【０００６】
本発明の一態様における容器は，底面部と，底面部の縁辺から上方側に設けられた側面部とを有し，側面部の上端が開口部をなしているものであって，側面部に持ち手孔が形成されるとともに，側面部のうち持ち手孔の上方の部分が，少なくとも持ち手孔側および上端側にて側面部の厚さ方向に幅のあるグリップ部を構成しており，グリップ部の下方内面側，上方内面側，下方外面側，および上方外面側の４つの肩部のうち少なくとも２つの肩部（下方内面側および下方外面側，または下方内面側および上方内面側，または下方外面側および上方外面側）が，側面部を縦に切断する断面図内で見て凸状の曲面をなしているものである。
【０００７】
上記態様における容器では，グリップ部を利用してユーザが容器を持ち上げる際にユーザの手に当たる箇所である４つの肩部のうち少なくとも２つの肩部が，ユーザの手への攻撃性の低い形状とされている。このため，容器の持ち上げに際してユーザに不快感を与えにくい。またこれらの肩部が丸められていることで，収納物への攻撃性も低い容器となっている。
【０００８】
上記態様における容器ではさらに，グリップ部の４つの肩部がいずれも，側面部を縦に切断する断面図内で見て凸状の曲面をなしていること望ましい。このようになっていれば，容器の持ち上げ方を問わず，肩部が丸められていることの効果が奏される。
【０００９】
上記のいずれかの態様の容器ではさらに，グリップ部は，側面部の上端側の上面部と，持ち手孔側の下面部と，側面部の内面側にて上面部と下面部とを連絡する内面部とを有しており，グリップ部には，外面側に開口する空洞部が形成されており，空洞部には，上面部と下面部とを連絡する複数の縦リブと，縦リブ同士を連絡する横リブとが設けられており，縦リブの外縁は，外面側に向けて凸状の曲面をなしていることが望ましい。このようになっていれば，使用材料を節約しつつグリップ部の強度を確保できる。また，ユーザの手先の空洞部への進入を抑制できる。また，縦リブの外縁形状もユーザや収納物に優しい形状である。
【００１０】
上記のいずれかの態様の容器ではさらに，側面部のうち持ち手孔の下部に臨む縁辺に，外向きに張り出す張り出し部が形成されており，張り出し部の上面と側面部の内面とがなす肩部が，側面部を縦に切断する断面図内で見て凸状の曲面をなしていることが望ましい。このようになっていれば，持ち手孔の下部における内面側の肩部も，ユーザや収納物に優しい形状である。
【００１１】
張り出し部が形成されている態様の容器ではさらに，張り出し部の外端に，下向きに延びる折り返し部が形成されており，張り出し部の上面と折り返し部の外面とがなす肩部が，側面部を縦に切断する断面図内で見て凸状の曲面をなしていることが望ましい。このようになっていれば，持ち手孔の下部における外面側の肩部も，ユーザや収納物に優しい形状である。
【００１２】
張り出し部が形成されている態様の容器ではさらに，側面部を正面視したときにおける持ち手孔が，上辺と，下辺と，上辺と下辺とを曲線で繋ぐ両側のターン部とで構成される形状であることが望ましい。このようにすると，ターン部における内面側の肩部も，ユーザや収納物に優しい形状とすることができる。また，折り返し部も形成されている態様であれば，ターン部における外面側の肩部も，ユーザや収納物に優しい形状とすることができる。
【００１３】
上記のいずれかの態様の容器ではさらに，前述の凸状の曲面がいずれも，曲率半径が５ｍｍ以上３０ｍｍ以下の範囲内である曲面であることが望ましい。これにより，凸状の曲面の効果を確保しつつ，グリップ部の太さを適切な範囲内とすることができる。
【発明の効果】
【００１４】
本構成によれば，持ち手孔が形成されているとともに，その周囲の箇所の手や収納物への攻撃性を低減した容器が提供されている。
【図面の簡単な説明】
【００１５】
【図１】実施の形態に係る容器の斜視図である。
【図２】実施の形態に係る容器の短辺側面部の断面図である。
【図３】図２の断面箇所の斜視図である。
【図４】実施の形態に係る容器を積み重ねた状態を示す斜視図である。
【発明を実施するための形態】
【００１６】
以下，本発明を具体化した実施の形態について，添付図面を参照しつつ詳細に説明する。本形態は，図１に示す容器１０として本発明を具体化したものである。図１の容器１０は，長方形状の底面部２と，底面部２の縁辺から上方側に設けられた長辺側面部３および短辺側面部４とを有している。容器１０は，底面部２と長辺側面部３と短辺側面部４との全体で，上方が開口した略直方体形状をなしているものである。また，長辺側面部３および短辺側面部４の上端には，略長方形の鍔状の上フランジ５が形成されている。そして，長辺側面部３および短辺側面部４における上フランジ５より下方の位置には，これも鍔状である下フランジ６が形成されている。下フランジ６は，上フランジ５と底面部２との間に位置している。
【００１７】
図１に示される容器１０では，短辺側面部４に持ち手孔７が形成されている。持ち手孔７は，短辺側面部４の一部が窓状にくり抜かれた貫通孔である。短辺側面部４において持ち手孔７は，左右方向には中央に，上下方向には中央よりやや上寄りの位置に設けられている。短辺側面部４のうち持ち手孔７の上方の部分がグリップ部８である。持ち手孔７に指先を差し込んでグリップ部８を手づかみすることにより，容器１０を人が持ち上げることができる。
【００１８】
短辺側面部４の断面図を図２に示す。図２に示されるのは，短辺側面部４における持ち手孔７およびグリップ部８が形成されている位置の縦断面である。図２に示されるようにグリップ部８は，図中の上下方向にも幅方向（短辺側面部４の厚み方向）にも，ある程度のサイズを有している。グリップ部８の幅方向サイズＷは，短辺側面部４そのものの厚さより大きく，図１中に示される上フランジ５の幅とほぼ同じくらいである。グリップ部８の上下方向サイズＨは，幅方向サイズＷとほぼ同じくらいである。これは，上フランジ５と下フランジ６との間の距離よりやや小さい。これによりグリップ部８は，人の手で容易につかめる程度の太さとされている。なお，本形態の容器１０の開口部は，図２中に矢印Ｃで示されるレベルの位置である。これは，長辺側面部３および短辺側面部４の上端で囲まれている箇所である。図３に，図２の断面箇所の斜視図を示す。
【００１９】
図２，図３に示されるように，断面図中におけるグリップ部８の４つの肩部，すなわち内上肩１１，内下肩１２，外上肩１３，外下肩１４はいずれも，直角ではなく凸状の曲面とされている。これらの４つの肩部によりグリップ部８の断面形状は，上面部１５（短辺側面部４の上端側）と下面部１６（持ち手孔７側）と内面部１７（短辺側面部４の内面側）と外面部１８（短辺側面部４の外面側）とが滑らかに繋がった形状となっている。これにより，グリップ部８をユーザが手でつかんだときにおける肩部による手の負担が軽減されている。また，容器１０の収納物に対する肩部の攻撃性も低減されている。これらの凸状の曲面の曲率半径は，５ｍｍ以上３０ｍｍ以下（より望ましくは５ｍｍ以上２０ｍｍ以下）の範囲内であることが望ましい。曲率半径が小さすぎると効果が小さい一方，曲率半径が大きすぎるとグリップ部８の太さを適切な範囲内に収めることが難しいからである。
【００２０】
図２，図３にさらに示されるように，グリップ部８の内部には空洞部２０が形成されている。空洞部２０は，外面部１８に向かって開口している。この空洞部２０により，グリップ部８の太さがある程度確保されつつ，容器１０の製造に必要な樹脂材料の量が抑制されている。
【００２１】
そして空洞部２０の内部には，横リブ２１が形成されている。さらに，図３に示されるように空洞部２０の内部には縦リブ２３も形成されている。縦リブ２３は，空洞部２０の内部で上面部１５と下面部１６とを連絡するものである。縦リブ２３の外縁は，外面側に向けて凸状の曲面をなしている。図１から分かるように，空洞部２０には複数の縦リブ２３が形成されている。横リブ２１は，空洞部２０の内部で縦リブ２３同士を連絡するものである。横リブ２１および縦リブ２３により，グリップ部８を手でつかむ際に，指先が空洞部２０に進入しにくいようになっている。また，内部が空洞部２０であるグリップ部８の強度が確保されている。
【００２２】
図２にさらに示されるように，短辺側面部４における持ち手孔７の下部に臨む縁辺には，外向きに張り出す張り出し部９が形成されている。さらに，張り出し部９の外端には，下向きに延びる折り返し部２２が形成されている。そして，張り出し部９の上面と短辺側面部４の内面とがなす肩部１９，および張り出し部９の上面と折り返し部２２の外面とがなす肩部２４はいずれも，前述のグリップ部８の肩部と同様に凸状の曲面をなすようにされている。これにより，持ち手孔７の下部においても，ユーザの手や収納物に対して優しい形状とされている。
【００２３】
図１に戻って，持ち手孔７そのものの形状を説明する。持ち手孔７は，短辺側面部４を正面視した状態にて，上辺２５と，下辺２６と，両側のターン部２７とで構成される形状に形成されている。ターン部２７は，上辺２５と下辺２６とを外向きの曲線で繋ぐ形状とされている。この上辺２５は，前述のグリップ部８の下端（下面部１６，内下肩１２，外下肩１４）に該当する。下辺２６は，前述の張り出し部９，および肩部１９，２４に該当する。ここでターン部２７においても，外面側には，上辺２５の外下肩１４と下辺２６の肩部２４とが連続的に繋がる凸状の曲面状の肩部が形成されている。同様に内面側にも，上辺２５の内下肩１２と下辺２６の肩部１９とが連続的に繋がる凸状の曲面状の肩部が形成されている。これにより，持ち手孔７における上部，下部に限らずターン部２７を含めてどの場所でも，ユーザの手や収納物に対して優しい形状とされている。
【００２４】
なおターン部２７においては，上辺２５の外下肩１４と下辺２６の肩部２４との間の部分を，凸状の曲面の曲率半径が徐々に変化している徐変部としてもよい。例えば肩部２４の曲率半径が外下肩１４の曲率半径より小さい場合，当該徐変部は，外下肩１４側から肩部２４側に向かって徐々に曲率半径が小さくなっていく形状とされることが望ましい。この場合，少なくとも外下肩１４と肩部２４との凸状の曲面の曲率半径が５ｍｍ以上３０ｍｍ以下（より望ましくは５ｍｍ以上２０ｍｍ以下）の範囲内であればよい。
【００２５】
また，本形態の容器１０は，複数個を段積みすることが可能なものである。図４に，３個の容器１０を段積みした状態を示す。図４に示したものでは，最下段の容器１０（１０１）と中段の容器１０（１０２）とは，互いに１８０°回転した状態で積み重ねられている。このため，上の容器１０（１０２）が下の容器１０（１０１）の収納空間に入り込んだ状態となっている。下の容器１０（１０１）が空荷の場合にこのような段積みが可能である。その分，積み重ね全体としての高さ方向寸法を小さく抑えることができる。
【００２６】
一方，中段の容器１０（１０２）と最上段の容器１０（１０３）とは，同じ向きにした状態で積み重ねられている。このため，上の容器１０（１０３）は下の容器１０（１０２）の収納空間に入り込んでいない。下の容器１０（１０２）に収納物が現に入っている場合にはこのような段積みとする。これにより，下の容器１０の収納物が保護される。また，多数の容器１０を段積みした状況において，どの段の容器１０が空荷であるか，あるいは収納物が入っているか，容易に把握することができる。
【００２７】
以上詳細に説明したように本実施の形態によれば，容器１０における短辺側面部４の持ち手孔７およびグリップ部８にて，各部の肩部を凸状の曲面とすることで，ユーザの手や収納物に対して優しい容器１０が実現されている。ここで例えばグリップ部８の４つの肩部については，そのすべてが前述の凸状の曲面でなければならないという訳ではない。
【００２８】
例えば，内上肩１１，内下肩１２，外上肩１３，外下肩１４のうち，少なくとも内下肩１２と外下肩１４とが凸状の曲面になっているものであってもよい。このような態様であっても，両方の短辺側面部４の持ち手孔７に深く手先を差し込んでグリップ部８を下から支えて容器１０を持ち上げるような状況に対しては十分である。また，少なくとも内上肩１１と内下肩１２とが凸状の曲面になっているものであってもよい。このような態様であっても，一方の短辺側面部４のグリップ部８のみを手で支えて，もう一方の短辺側面部４を下にぶら下げつつ空荷の容器１０を持ち上げるような状況に対しては十分である。あるいは，少なくとも外上肩１３と外下肩１４とが凸状の曲面になっているものであってもよい。このような態様であっても，両方の短辺側面部４の持ち手孔７に浅く手を添えて容器１０を挟み付けつつ持ち上げるような状況に対しては十分である。
【００２９】
むろん，４つの肩部すべてが凸状の曲面になっていればすべての状況に対応できる。同様に，持ち手孔７の下辺２６においても，肩部１９，２４のうち肩部１９のみが凸状の曲面であるようなものとすることもできる。
【００３０】
なお，本実施の形態は単なる例示にすぎず，本発明を何ら限定するものではない。したがって本発明は当然に，その要旨を逸脱しない範囲内で種々の改良，変形が可能である。例えば，容器の全体形として，図示したような長方形に限らず，正方形でもよいし，さらにそれ以外の多角形でもよい。また，円形や長円形等，多角形ですらない形状でもよい。また，容器の全体形が長方形である場合でも，持ち手孔７およびグリップ部８を，短辺側面部４に設ける代わりに長辺側面部３に設けてもよい。また，持ち手孔７の面内形状として，図示したような長円形に限らず，四隅が丸められた長方形でもよい。この場合の持ち手孔７の縦辺も，上辺と下辺とを曲線で繋ぐターン部に該当するものとする。
【符号の説明】
【００３１】
２    底面部
３    長辺側面部（側面部）
４    短辺側面部（側面部）
７    持ち手孔
８    グリップ部
９    張り出し部
１０  容器
１１  内上肩
１２  内下肩
１３  外上肩
１４  外下肩
１５  上面部
１６  下面部
１７  内面部
１８  外面部
１９  肩部
２０  空洞部
２１  横リブ
２２  折り返し部
２３  縦リブ
２４  肩部
２５  上辺
２６  下辺
２７  ターン部
【図１】
2019073293.tif 000003
【図２】
2019073293.tif 000004
【図３】
2019073293.tif 000005
【図４】
2019073293.tif 000006